(57)【要約】【課題】情報システムからプロトコルを含む撮影情報を受け取って撮影を行うＸ線撮影装置において、撮影部位と関連付けられていないプロトコルが転送された時に、そのプロトコルの撮影が行えない、或いは、撮影部位との対応付け作業が煩雑かつ正確に行えない。【解決手段】撮影情報と撮影部位とが関連付けられていないプロトコルを、撮影部位が不定なプロトコルとして表示し、その不定なプロトコルを撮影部位と対応付けるための手段を呼び出す構成とする。【選択図】図３
2010136896.tif 000002
【特許請求の範囲】
【請求項１】
撮影部位とその撮影に関するパラメータを登録する登録手段と、
撮影オーダーを取得するオーダー受信手段と、
前記取得された撮影オーダーに含まれる実施すべき撮影を示す撮影情報を、前記登録手段に登録されている撮影部位に対応付ける対応付け手段と、
前記対応付け手段により撮影部位との対応付けができなかった不定の撮影情報を表示する表示手段とを備えることを特徴とするＸ線撮影装置。
【請求項２】
撮影部位とその撮影に関するパラメータを登録する登録手段と、
撮影オーダーを取得するオーダー受信手段と、
前記取得された撮影オーダーに含まれる実施すべき撮影を示す撮影情報を、前記登録手段に登録されている撮影部位に対応付ける対応付け手段と、
前記対応付け手段により撮影部位との対応付けができなかった不定の撮影情報を表示する表示手段と、
前記不定の撮影情報に対して前記登録手段に登録されている撮影部位を候補として表示し、その候補の中からユーザにより選択された撮影部位を前記不定の撮影情報と対応付ける選択手段とを備え、
前記対応付け手段と前記選択手段によって、前記撮影情報に対応付けられた撮影部位とその撮影に関するパラメータを用いて、Ｘ線撮影を実行することを特徴とするＸ線撮影装置。
【請求項３】
前記撮影オーダーに含まれる撮影情報は、撮影部位を識別するコードを含むことを特徴とする請求項２に記載のＸ線撮影装置。
【請求項４】
前記選択手段は、前記表示手段が表示した不定の撮影情報の選択を受け付けたとき、候補の撮影部位とその撮影条件を表示することを特徴とする請求項２に記載のＸ線撮影装置。
【請求項５】
前記表示手段は更に、前記不定の撮影情報と撮影部位との対応付けが完了したとき、撮影を指示する表示を行うことを特徴とする請求項２に記載のＸ線撮影装置。
【請求項６】
前記撮影オーダーは、患者情報と撮影情報を含み、情報システムよりネットワークを介して前記オーダー受信手段により受信されることを特徴とする請求項３に記載のＸ線撮影装置。
【請求項７】
前記登録手段は、電源オフ時にも記憶を維持する不揮発性の記憶媒体に、撮影部位とその撮影条件を、前記対応付け手段が参照できるように撮影情報と対応付けて登録しており、
前記選択手段は、前記不定の撮影情報と選択された撮影部位の対応を、電源オン時にのみ記憶を維持する一時的な記憶媒体に登録することを特徴とする請求項２に記載のＸ線撮影装置。
【請求項８】
前記一時的な記憶媒体に登録された撮影情報と撮影部位との対応を、前記不揮発性の記憶媒体に反映させる反映手段を更に備えることを特徴とする請求項７に記載のＸ線撮影装置。
【請求項９】
前記反映手段は、撮影を行ったユーザが有する権限の種類に応じて、前記一時的な記憶媒体に登録された撮影情報と撮影部位との対応を前記不揮発性の記憶媒体に反映させるか、前記一時的な記憶媒体に登録された撮影情報と撮影部位との対応を破棄するかを決定することを特徴とする請求項８に記載のＸ線撮影装置。
【請求項１０】
Ｘ線撮影装置の撮影方法であって、
撮影部位とその撮影条件を登録する登録工程と、
撮影オーダーを取得するオーダー受信工程と、
前記取得された撮影オーダーに含まれる実施すべき撮影を示す撮影情報を、前記登録工程で登録された撮影部位に対応付ける対応付け工程と、
前記対応付け工程により撮影部位との対応付けができなかった不定の撮影情報を表示する表示工程と、
前記不定の撮影情報に対して前記登録されている撮影部位とその撮影条件を候補として表示し、その候補の中からユーザにより選択された撮影部位とその撮影情報を前記不定の撮影情報と対応付ける選択工程とを備え、
前記対応付け工程と前記選択工程によって、前記撮影情報に対応付けられた撮影部位とその撮影条件を用いて、Ｘ線撮影を実行することを特徴とする撮影方法。
【請求項１１】
請求項１０に記載の撮影方法を、コンピュータにより実行させるコンピュータプログラム。
【請求項１２】
請求項１１に記載のコンピュータプログラムを格納したコンピュータ可読記録媒体。
【発明の詳細な説明】
【技術分野】
【０００１】
本発明は、被験者を透過したＸ線像を撮影するＸ線撮影装置及びその方法に関する。
【背景技術】
【０００２】
医療診断を目的としたＸ線撮影装置は、Ｘ線検出部に増感紙とフィルムを組み合わせたＸ線写真方式に代わり、Ｘ線画像をディジタル的に検出・生成する手法が近年普及してきている。代表的な方式の一つに、検出デバイスにフラットパネルセンサを使ったＸ線画像取得方法がある。この方法には、Ｘ線に対して感度を持つ固体撮像素子を利用する方法やＸ線のエネルギーを可視光に変換する蛍光体と可視光に感度を持つ光電変換素子の組み合わせを利用する方法がある。
【０００３】
前者は、固体撮像素子が検出したＸ線の強度に応じた電気信号に変換し出力する。後者は、蛍光体によりＸ線のエネルギーに応じた強度の蛍光が発生され、光電変換素子でその強度に応じた電気信号に変換し出力する。そしてこれらの光電変換素子から出力されるアナログ信号をＡ／Ｄ変換によってディジタル化して取り込む。
【０００４】
この様なディジタルＸ線撮影装置は、Ｘ線透過線量に応じた電気量を検出しディジタル量に変換する検出デバイスを含む検査モジュールと、この検査モジュールとＸ線発生装置を制御する制御装置とで構成される。放射線技師は、患者情報を入力し撮影部位に応じた各種パラメータを設定して、被験者を整位した後、Ｘ線のばく射を行い検査モジュールによりＸ線画像を生成する。
【０００５】
ここで言う各種パラメータには、管電流、管電圧、Ｘ線照射時間、絞りの大きさなどの撮影条件や、取得した画像に施す画像処理パラメータなどがあり、撮影部位を指定するとそれらの各種パラメータが一括して設定される。生成されたＸ線画像は、制御装置に取り込まれて、各種補正処理や画像処理が施され、医師が診断するためのＸ線ディジタル画像が生成される。ディジタル画像は、必要に応じてプリンターからフィルムを出力することができる。このディジタル画像はストレージに送られた後、モニターに表示して診断が行われる。
【０００６】
最近では、放射線技師が患者情報や撮影部位の入力をＸ線撮影システムへマニュアルで入力するのではなくなってきている。患者情報や撮影部位は、病院内に構築されているネットワークの端末を介してディジタルＸ線撮影装置へ入力されるようになってきている。ネットワークとしては、病院情報システム（Hospital Information System、「ＨＩＳ」と言う）や、放射線科情報システム（Radiology information System、「ＲＩＳ」と言う）がある。
【０００７】
特許文献１と特許文献２に記載されているように、放射線技師は、ＨＩＳやＲＩＳからオーダーされる撮影の種類を示す撮影のプロトコル（以降プロトコルと略す）に対応した各種パラメータを予め調整しておく。そして、そのプリセットを撮影部位としてディジタルＸ線撮影装置に登録しておく。またＨＩＳやＲＩＳからオーダーされるプロトコルと撮影部位との関連付けを行っておく。そうすることで、ＨＩＳやＲＩＳからプロトコルが送られてきた時に、対応する撮影部位が容易に選択され、撮影部位にプリセットされた各種パラメータが設定されて、所望の撮影が可能になる。
【特許文献１】特開２０００−３０８６３１号公報
【特許文献２】特開２００７−００７１９０号公報
【発明の開示】
【発明が解決しようとする課題】
【０００８】
しかしながら、ＨＩＳやＲＩＳからオーダーされるプロトコルは施設によって分類が異なる。また部位と方向と姿勢の組み合わせで１００以上ある場合が一般的である。更にこれらの組み合わせは、撮影方法や小児という細分類の組み合わせも加わってくるため、２００以上になることも多々ある。これらのプロトコルに対するディジタルＸ線撮影装置における各種パラメータのプリセットが必要となる。しかし実際には全てのプロトコルが同じ頻度で撮影されるわけではなく、ほとんど使用されないプロトコルもある。
【０００９】
そのため、通常は、主要なプロトコルに対してのみ各種パラメータのプリセットを撮影部位として作成しておき対応付けを行っておく。しかし対応付けを行っていないプロトコルがＨＩＳやＲＩＳからオーダーされたとき、そのプロトコルの撮影ができないという課題があった。
【００１０】
また、プロトコルと撮影部位の対応を取る場合には、対応付けられていないプロトコルＩＤをメモしておき、一旦撮影作業を終了し、撮影フローを中断する必要があった。その後、撮影を終わらせてからサービス用の撮影部位編集画面を呼び出して撮影部位に対するプロトコルＩＤの対応付けを行うことになるため、対応付けの操作が煩雑でかつ、しかも手作業になるので誤設定の可能性があるという課題もあった。更に、表示されているプロトコルＩＤのみでは、どの撮影部位を選択すればよいかわからないという課題もあった。
【００１１】
したがって、本発明は、撮影部位と関連付けられていないプロトコルに対して、撮影フローを中断することなく、撮影部位を容易に設定可能にすることを目的とする。
【課題を解決するための手段】
【００１２】
上記課題を解決するためＸ線撮影装置は、撮影部位とその撮影条件を登録する登録手段と、撮影オーダーを取得するオーダー受信手段と、取得された撮影オーダーに含まれる撮影情報を、登録手段に登録されている撮影部位とその撮影条件に対応付ける対応付け手段と、対応付け手段により撮影部位との対応付けができなかった場合、その対応付けができなかった不定の撮影情報を表示する表示手段と、不定の撮影情報に対して登録されている撮影部位とその撮影条件を候補として表示し、その候補の中からユーザにより選択された撮影部位とその撮影情報を前記不定の撮影情報と対応付ける選択手段とを備え、対応付け手段と選択手段によって、撮影情報に対応付けられた撮影部位とその撮影条件を用いて、Ｘ線撮影を実行することを特徴とする。
【発明の効果】
【００１３】
本発明の第一は、撮影情報と撮影部位の対応付けがなされていない場合に、不定のプロトコルＩＤとともにその撮影情報も同時に表示するようにしたため、対応する撮影部位を正確に選択できるようになる。
本発明の第二は、撮影情報と撮影部位の対応付けがなされていない場合に、撮影部位が不定であることの表示を行い、表示領域の未設定部分を設定することで、撮影の流れを中断することなく、容易な操作で正確に対応付けが行える。
【発明を実施するための最良の形態】
【００１４】
以下に、本発明の実施の形態を添付の図面に基づいて詳細に説明する。
【００１５】
＜実施形態１＞
図１は、実施形態１におけるＸ線撮影システムを示すブロック図である。
【００１６】
このＸ線撮影システム１００は、Ｘ線管球１０００、Ｘ線発生装置制御部１００１、Ｘ線発生装置操作部１００２、撮影部１００３、およびＸ線撮影システムの制御部１００６を備える。
【００１７】
Ｘ線管球１０００は、Ｘ線を発生させる。Ｘ線発生装置制御部１００１は、Ｘ線管球１０００からＸ線を発生させＸ線の照射量を制御する。また、Ｘ線発生装置操作部１００２は、放射線技師がマニュアルによりＸ線発生装置制御部１００１を操作するための操作卓である。更に、撮影部１００３は、Ｘ線管球１０００から放射されるＸ線を検出する。
【００１８】
制御部１００６は、撮影部１００３から得られたディジタル画像信号を読み取り、所定の画像処理を行って画像表示、画像出力やＸ線発生装置の制御を行う。また、Ｘ線発生装置制御部１００１は、Ｘ線発生装置操作部１００２あるいは制御部１００６から送られてきた管電流や管電圧、照射時間等の撮影条件に応じて、Ｘ線管球１０００に高電圧をかけてＸ線を発生させる。
【００１９】
撮影部１００３は、Ｘ線管球１０００より照射されたＸ線を検出してディジタル画像を得るためのＸ線検出器１００４と、Ｘ線検出器１００４の出力をディジタル画像信号として出力するためのＡ/Ｄ変換器などから構成される。また、撮影部１００３は更に、人体への被曝を極力小さくしかつ撮影装置が必要な放射線量を適切に照射するためのＡＥＣ装置（図示せず）や、散乱Ｘ線を除去するグリッド（図示せず）が構成されることもある。
【００２０】
Ｘ線検出器１００４は、Ｘ線を光に変換するシンチレーターおよび光の強さに応じた電気信号を発生する固体撮像素子により構成されている。
【００２１】
Ｘ線管球１０００より撮影部１００３に入射されたＸ線は、まず患者１０９で発生した散乱Ｘ線がグリッドで除去される。次に、グリッドを透過したＸ線がシンチレーターにより光に変換され、固体撮像素子において光の強さに応じた電気信号が発生し、この電気信号をＡ/Ｄ変換器を通すことによってディジタルＸ線画像が得られる。
【００２２】
ＡＥＣ装置は、グリッドとＸ線検出器１００４との間に配置されて、患者１０９およびグリッドを透過してきた放射線の一部を実時間で検出し、生成されるＡＥＣ信号をＸ線発生装置制御部１００１へ転送する。ＡＥＣ信号積算値が閾値を超過すると、Ｘ線発生装置制御部１００１は放射線発生信号をオフにして、Ｘ線管球１０００からの放射線の発生を停止する。このようにして、ＡＥＣ装置は放射線量を適切に制御する。
【００２３】
Ｘ線撮影システム１００の制御部１００６は、大きく分けると画像処理手段と撮影管理手段の２つの処理手段がある。画像処理手段は、画像取り込み部８１、画像と患者・画像情報結合部８２、画像処理部８３および画像転送部８４で構成される。画像取り込み制御部８１は、撮影部１００３からディジタルＸ線画像信号を取り込み、ゲイン補正、シェーディング補正などの各種補正処理を行い、診断画像の基になる原画像を生成する。
【００２４】
画像と患者・画像情報結合部８２は、生成された原画像と、撮影部位指示部９０より通知される画像情報と、患者情報通知部（図示せず）より通知される患者情報との関連付けを行う。
【００２５】
画像処理部８３は、関連付けられた画像情報の一部である画像処理パラメータを使用し、原画像に諧調処理や鮮鋭化処理やダイナミックレンジ圧縮など各種画像処理をかけて診断画像を作成し、その診断画像を操作表示部８９へ表示する。また、画像処理部８３は、撮影部位変換テーブル８７、撮影部位ＤＢ９１、一時的撮影部位テーブル９２を利用することによって処理を行う。
【００２６】
ここで、撮影部位のデータは、２種類のデータベースからなる。すなわち、１つは撮影情報の識別ＩＤと対応付けるための撮影部位データを保管する撮影部位ＤＢ９１に対応する第１データベースである。もう１つは、プロトコルコードから撮影部位の変換部８６により変換ができない場合に、撮影部位とその撮影条件の候補データを保管する一時的撮影部位テーブル９２に対応する第２データベースである。この例では、第１データベースは、電源オフ時も記憶を維持している不揮発性の記憶媒体から構成され、また第２データベースは、電源オン時のときのみ記憶する一時的な記憶媒体で構成される。画像転送部８４は、作成した診断画像をネットワーク１１０へ転送する。
【００２７】
撮影管理手段は、撮影オーダー受信部８５、プロトコルコードから撮影部位コードへの変換部８６、撮影オーダー作成部８８、撮影部位指示部９０、および不定のプロトコルＩＤ割り当て部９３で構成される。
【００２８】
撮影オーダー受信部８５は、ＨＩＳ・ＲＩＳ１２０よりネットワーク１１０を介して送られてきた患者情報と撮影オーダーを受信する。受信された撮影オーダーに含まれる撮影情報のプロトコルＩＤは、プロトコルコードから撮影部位コードへの変換部８６によって、対応する撮影部位コードへ変換される。ここで、プロトコルＩＤは撮影の種類を識別する定義情報である。また、撮影オーダー作成部８８が変換された撮影部位コードを順に並べてオーダー表示することで、Ｘ線撮影システム１００における撮影オーダーが確定される。
【００２９】
不定のプロトコル割り当て部９３は、撮影オーダー受信部８５で受信した撮影情報に含まれるプロトコルＩＤが、撮影部位コードとの対応付けがなされていなかった場合に処理を行う。この場合、不定のプロトコルＩＤと撮影部位コードとの対応付けを行って、一時的撮影部位テーブルへ記録するとともに、操作者の確認後撮影部位ＤＢ９１へ記録する。
【００３０】
撮影部位指示部９０は、撮影オーダー作成部８８によって作成された撮影オーダーの順序にしたがって、撮影部位を選択し各種パラメータのプリセット値を呼び出すと共に、撮影部位情報を順次画像と患者・画像情報結合部８２へ通知する。
【００３１】
操作表示部８９は、Ｘ線画像撮影装置の操作や撮影を行う指示、あるいは撮影した画像に対する画像処理、または撮影画像、撮影オーダー、メッセージ、装置の状態などの表示を行うためのモニターである。操作表示部８９は、例えば液晶パネルとタッチセンサとマウスで構成される。
【００３２】
図２、図３および図４は、操作表示部８９に表示される画面の例を示す図である。
【００３３】
図２は、ＨＩＳ／ＲＩＳ１２０よりネットワーク１１０を介して送られてきた患者の撮影オーダーを選択する患者リスト選択画面を示す図である。
【００３４】
図３は、撮影オーダーの中に、撮影部位と対応付けられていないプロトコルＩＤがあった場合に使われる画面を示す図である。図３において、不定のプロトコルＩＤとの対応付けが行われる。
【００３５】
図４は、撮影開始ボタンを押下して、Ｘ線の照射が終わって診断画像が表示された時の画面を示す図である。
【００３６】
図２の患者リスト選択画面は、メッセージ・状態表示部３０、撮影部位ボタンの表示領域３１、撮影オーダー表示領域３２、患者情報表示領域３４、撮影オーダーリスト２０、リスト更新ボタン２１、撮影開始ボタン２２、患者情報表示領域３４で構成されている。
【００３７】
ＨＩＳ／ＲＩＳ１２０よりネットワーク１１０を介して送られてきた患者情報は、撮影オーダー受信部で取得され、図２における撮影オーダーリスト２０に表示される。この撮影情報は、撮影の種類を識別するＩＤおよび撮影の種類に関する情報を含んでいる。
【００３８】
状態表示部３０には患者を選択する段階にあることが示されている。撮影オーダーリスト２０中の所望の患者が選択されると、その患者に対する撮影オーダーが識別され、撮影オーダー表示領域３２に表示される。この場合、表示領域３１に示すように、胸部正面撮影と、胸部側面撮影と、および定義されていない、不定のプロトコルとからなる撮影オーダーとなっている。
【００３９】
図３の不定のプロトコルＩＤと撮影部位との対応付けを行う画面において、撮影部位メニュー２３は、複数の撮影部位候補から撮影部位を選択するためのメニューである。状態表示部３０には撮影部位を選択する段階にあることが示されている。表示領域３１の下段に示す、不定のプロトコルＩＤを示すボタンを選択した状態で、そのプロトコルＩＤと対応付けたい撮影部位ボタン、例えば「頭部正面」、「頭部側面」のなどの撮影条件を示すボタンを選択することにより、プロトコルＩＤと撮影部位とその撮影条件の関連付けを行う。
【００４０】
図４の撮影画面において、画像表示領域３３は撮影した画像を表示する領域を示し、撮影部位情報表示部３５は撮影部位の情報を表示する領域を示している。状態表示部３０には画像を確認する段階にあることが示されている。また、この画面は、撮影部位に関する情報を変更するためのメニューを呼び出す撮影部位情報変更ボタン３６、次撮影ボタン３８、撮影終了ボタン３９を備える。次の撮影を行う場合、次撮影ボタン３８を押下して、撮影完了する場合は撮影終了ボタン３９を押下する。
【００４１】
図５は、ＲＩＳから転送されてくるプロトコル内容の一例を示す図である。通常、技師長とＲＩＳメーカの技術者が話し合ってこのテーブルを決定する。プロトコルＩＤとプロトコル名は関連付けられており、例えば胸部Ｐ−Ａ（背腹方向照射）の場合「１００２０００１２０」である。このテーブルには、この他に照射の電圧・電流・時間・距離がパラメータとして記載されている。
【００４２】
図６は、プロトコルＩＤの一例を示す図である。ここで記載されているプロトコルＩＤは、９桁のコードで示される。各コードは、図のように分割され、それぞれ、検査部位コード、姿勢コード、照射方向コードから構成されている。各コードは、それぞれ表に示すような定義ファイルを持っている。
【００４３】
図７は、図１における撮影部位変換テーブル８７の一例を示す図である。ここでは撮影部位コードと撮影部位名（ボタン名）とプロトコルＩＤとの対応をまとめたテーブルが示されている。このテーブルは、プロトコルＩＤの入力によりそれを撮影部位コードへ変換する。
【００４４】
図８は、撮影部位に対する撮影条件等のパラメータの一例を示す図である。例えば、撮影部位コードが「１００」の場合、それに対応して、撮影部位は「胸部正面」であり、その撮影条件は「１１０」、解析関数は「３２０」、そして画像処理パラメータは「Ｂ１０Ｃ２０」であることが関連付けられている。
【００４５】
図９は、実施形態１における撮影オーダーの例を示す図である。このオーダーは、患者情報と撮影情報から構成されている。撮影情報には、各撮影のプロトコルＩＤとプロトコル名が示される。この場合、胸部Ｐ−Ａ、胸部Ｒ−Ｌ（左側画像）、そしてＫＵＢＡ−Ｐが撮影されることが示されている。なお、ＫＵＢとは、Ｋｉｄｎｅｙ（腎臓）、Ｕｒｅｔｅｒ（尿管）、ｂｌａｄｄｅｒ（膀胱）の略であり、腹部撮影に分類される撮影方法である。
【００４６】
図１０は、実施形態１において、操作者が検査開始ボタンを押下するときに不定のプロトコルＩＤと撮影部位の関連付けを行うときの動作フローチャートを示す。
【００４７】
次に、これまでの図１から図１０を用いて本発明を更に詳細に説明していく。
【００４８】
操作者である放射線技師や医師は、病院内情報システム（ＨＩＳ）や放射線情報システム（ＲＩＳ）１２０の端末上で、患者情報を確定する。そして、操作者は、図５に示されるプロトコルの中から検査を行うプロトコルを選択して図９のような撮影オーダー情報を作成する。
【００４９】
このオーダー情報の場合、胸部Ｐ-Ａ（立位）、胸部Ｒ-Ｌ（立位）、ＫＵＢ  Ａ-Ｐ（立位）撮影がこの順序で行われることを示している。撮影オーダー受信部８５は、ネットワーク１１０を介し、この撮影オーダー情報を受信し、操作表示部８９上に図２に示す撮影オーダーリストを表示する。このとき、撮影オーダーリスト２０には、受信した撮影オーダーの患者情報も表示される。
【００５０】
図１０におけるステップＳ１００のように、操作者が撮影オーダーリスト２０から撮影を行う患者を選択すると、撮影オーダー作成部８８は、選択された患者の撮影情報を生成し、図２のように撮影オーダー表示領域３２に表示する。このとき、患者氏名、患者ＩＤ、性別、生年月日などの患者情報をまとめた患者情報オブジェクトが生成される。また図２の例では、撮影オーダーリスト２０の一番上の鈴木花子が選択され、その撮影オーダーが、撮影オーダー表示領域３２に表示されている状態が示されている。
【００５１】
次に、図１におけるプロトコルコードから撮影部位コードへの変換部８６が、撮影部位変換テーブル８７を利用し、受信したプロトコルコードから対応する撮影部位に変換する。鈴木花子の１番目の撮影部位は、胸部Ｐ-Ａ(立位)で、プロトコルＩＤが１００２００１２０なので、図７における撮影部位変換テーブルを参照すると、対応する撮影部位コードが１００、撮影部位名が胸部正面であることがわかる。したがって、撮影オーダー作成部８８は、撮影オーダー表示領域３２の一番上に、「胸部正面」というボタンを表示する。同様にして、２番目のプロトコルＩＤ１００２００１３０に対する撮影部位コードが１２０であり、撮影部位名が胸部側面であるので、撮影オーダー作成部８８は、撮影オーダー表示領域３２の上から２番目に「胸部側面」というボタンを表示する。
【００５２】
一方、３番目のプロトコルＩＤ１００８００１１０に対する撮影部位コードは、プロトコルコードから撮影部位コードへの変換部８６において見つからない。したがって、図２の撮影オーダー表示領域３２の上から３番目に示すボタンのように、ボタン上にプロトコルＩＤを表示する。
【００５３】
操作者は、撮影オーダー表示領域３２で患者情報を確認したうえで、患者を呼び出すとともに、図１０におけるステップＳ１０１において、撮影指示のため撮影開始ボタン２２を押下する。
【００５４】
次にステップＳ１０２において、全てのプロトコルＩＤが撮影部位コードに変換可能か否かがチェックされる。
【００５５】
もし変換可能な場合、ステップＳ１０７において撮影オーダー作成部８８は、図４に示されるような撮影画面へ遷移させる。
【００５６】
一方、変換可能でない場合は、ステップＳ１０３において、撮影オーダー作成部８８は、「撮影部位に対応付けられていないプロトコルＩＤがあります。撮影部位とプロトコルＩＤの対応を付けてください」というメッセージを表示させる。
【００５７】
ステップＳ１０４において、撮影オーダー作成部８８は、撮影オーダー表示領域３２で、最もオーダーの早い、一番上にある変換できなかったプロトコルＩＤのボタンを選択状態にする。また同時に、ステップＳ１０５で対応付けるための撮影部位メニュー２３を図３のように操作表示部８９に表示する。
【００５８】
次にＳ１０６において、操作者は、撮影部位メニュー２３から撮影部位ボタンを押下して、プロトコルＩＤと撮影部位コードの対応を取る。このとき操作者は、図５に示すプロトコル一覧表とボタン上に示されたプロトコルＩＤを確認する。そして操作者は、撮影部位ボタンとしてＫＵＢ正面ボタンを選択すれば良いと判断する。
【００５９】
まず操作者は、図３における撮影部位メニュー２３のタブを腹部に切り替えて、腹部の撮影部位メニューの中からＫＵＢ正面ボタンを選択する。ＫＵＢ正面ボタンを押下した後、不定のプロトコルＩＤ割り当て部９３が選択した撮影部位とプロトコルＩＤの関連付けを行う。そして一時的撮影部位テーブル９２は、その関連付けた情報を保存する。それと合わせて、撮影オーダー作成部８８は、関連付けられた撮影部位をプロトコルＩＤが表示されたボタンの代わりに表示する。以上で、変換できないプロトコルＩＤと撮影部位の対応付けが完了する。
【００６０】
再び、ステップＳ１０２に戻り、すべてのプロトコルＩＤが撮影部位コードに変換可能かどうか判断される。
【００６１】
すべてのプロトコルＩＤが撮影部位コードに変換可能な場合は、ステップＳ１０７において、撮影オーダー作成部８８は、図４で示されるような撮影画面へ遷移させる。図４で示される撮影オーダー表示領域３２の撮影部位ボタンは、図８に示される撮影部位を示している。
【００６２】
撮影部位指示部９０により撮影部位が選択されると、画像と患者・画像情報結合部８２は、プリセットされている撮影条件と画像処理パラメータなど諸々のパラメータを設定する。またこのとき、これらの情報をまとめた画像オブジェクトを生成して、患者オブジェクトと関連付ける。
【００６３】
次に、図１に示すように患者１０９を立たせて、昇降部上下ペダル（図示せず）を踏んで昇降部を上下させることにより、被験者である患者１０９が撮影部１００３に対して適切な位置になるようにポジショニングを行う。例えば「胸部ＰＡ」の撮影では、操作者は撮影部１００３の上端と患者の肩が同じ位置になるように調整するのが一般的である。また、操作者は、Ｘ線管球１０００を前後に移動させることによって、患者と管球管距離の変更を行い、対象部位以外にＸ線が照射されないように照射野絞りを調整する。
【００６４】
一方、図１における画像読み取り制御部８１は、固体撮像素子駆動制御信号を用いて固体撮像素子に電圧を加えることで、固体撮像素子に対して患者１０９の画像入力がいつ行われても良いように準備する。
【００６５】
また、設定された各種パラメータは、図１における撮影部１００３やＸ線撮影システムの制御部１００６やＸ線発生装置制御部１００１へ転送されてる。これにより、Ｘ線撮影システムは、指定したパラメータで撮影可能な状態となる。ここで、各種パラメータは、撮影パラメータ、画像処理パラメータ、補正処理、ジェネレータ設定のパラメータなどを含んでいる。
【００６６】
次に操作者は、Ｘ線撮影装置の操作表示部８９の近傍に据え付けられている、Ｘ線ばく射ボタンを押す。このばく射ボタンは、Ｘ線管球１０００でＸ線を発生させるトリガとなるものであり、操作者がボタンを押下することでばく射信号を発生する。
【００６７】
ばく射ボタン押下により発生したばく射信号は、画像読み取り制御部８１に一旦供給される。このばく射信号を受信する画像読み取り制御部８１は、固体撮像素子がＸ線管球１０００からのＸ線を受け取ると画像化できる状態となっているか否かを、固体撮像素子から発生する駆動通知信号の状態で確認する。確認が完了すると、画像読み取り制御部８１は、ばく射許可信号をばく射スイッチに対して発生する。このばく射許可信号は、ばく射許可スイッチをオンにして、ばく射ボタンから発生された曝射信号をＸ線発生装置制御部１００１に供給する。この場合において、ばく射信号は、ばく射ボタンのセカンドスイッチを押下したときに発生する。
【００６８】
Ｘ線発生装置制御部１００１は、Ｘ線管球１０００に対してばく射信号を送る。これにより、Ｘ線管球１０００からＸ線が発生する。このときのばく射条件は、図５に示すような撮影方法毎に設定された撮影条件である。Ｘ線発生装置制御部１００１は、規定された時間Ｘ線を照射する。しかしながら、もしＡＥＣの選択された領域を通じてＸ線発生装置制御部１００１に取り込まれ積算されたＸ線量信号の総和が、予め設定された一定量になった時は、Ｘ線発生装置制御部１００１はＸ線管球１０００でのＸ線発生を遮断する。
【００６９】
一方、上述のようなばく射を受けた後、Ｘ線管球１０００からのＸ線は照射野絞り（図示せず）で絞られて、患者１０９、グリッド（図示せず）及びシンチレーター（図示せず）を順次透過して、患者１０９の透過画像として固体撮像素子に結像される。そして、固体撮像素子による光電変換により、光信号が画像信号に変換されて出力される。このアナログの画像信号は、さらにＡ／Ｄ変換器にてディジタル化される。そして、ディジタル信号は、画像読み取り制御部８１から取り込まれセンサを構成する光電変換素子間のばらつきの補正、センサ素子の経時的変化の補正や散乱線補正、およびグリッド補正等の画像補正などが行われる。
【００７０】
取り込まれた画像は、画像と患者・画像情報結合部８２により、生成された患者オブジェクト、画像オブジェクトと関連付けられる。更に画像処理部８３において、取り込まれた画像に各種画像処理がかけられる。例えば、画像読み取り制御部８１により生成された原画像に対して、着目部位の抽出及び照射野、およびＸ線の素抜け部分を抽出する解析が施される。「胸部正面」であれば、肺野の領域を抽出する。そして抽出された照射野領域データに基づいて、画像を所望の大きさに切出すとともに、所望の濃度特性曲線で変換して、所望の階調の画像を作り出す。
【００７１】
図４に示すように、作り出された画像は、操作表示部８９の画像表示領域３３に撮影画像として、表示される。操作者は、その撮影画像を観察することにより、被写体にぶれがないか、粒状性は適性レベルにあるか、また被検者の姿勢が正しいかどうかを判断し、さらにコントラスト、濃度が適正であるかを確認する。もし適正でなければ、操作者は再度撮影をやりなおしたり、画像処理パラメータを調整したりする。
【００７２】
画像の確認が完了すると、操作者は「次撮影」のボタン３８を押下して、次の撮影を行う。撮影オーダー表示領域３２において、胸部正面のボタンである「胸部側面」のボタンを選択し、同様に撮影を行う。同様に、操作者はその次の撮影において、不定のプロトコルＩＤ１００８００１１０（ＫＵＢ ＡＰ（立位））に対応付けた「ＫＵＢ正面」のボタンを選択する。その選択により、「ＫＵＢ正面」のボタンにプリセットされている各種パラメータ（撮影パラメータ、画像処理パラメータ、補正処理、ジェネレータ設定のパラメータ）が設定され、ＫＵＢ正面の撮影を行うことができる。
【００７３】
全ての撮影が終了し画像の確認が完了すると、操作者は、図４の撮影終了ボタン３９を押下して撮影を終了する。そして画像転送部８４は、画像サーバーやプリンターへネットワーク１１０を介して、補正された画像を転送する。また「撮影終了」のボタン３９が押下されると、撮影オーダー作成部８８は、割り当てられていなかったプロトコルＩＤ１００８００１１０（ＫＵＢ ＡＰ（立位））に対応するＫＵＢ正面ボタンの関係を撮影部位変換テーブル８７へ登録するかどうかを問い合わせる。撮影オーダー作成部８８は、そのためのダイアログを表示する。登録する場合は、不定のプロトコルＩＤ割り当て部９３が、一時的撮影部位テーブル９２を参照することにより撮影部位変換テーブル８７を書き換える。この場合には、不定のプロトコルＩＤ割り当て部９３は、図７における撮影部位とプロトコルとの対応テーブルのＫＵＢ正面のプロトコルＩＤにプロトコルＩＤ１００８００１１０を追加する。
【００７４】
画像処理パラメータを調整した場合は、新しい撮影部位名称を入力させ、かつ新たな撮影部位コードを発行して、新しい撮影部位としてテーブルに追加してもよい。また、撮影部位変換テーブル８７の書き換えが完了すると、一時的撮影部位テーブル９２のプロトコルＩＤ１００８００１１０（ＫＵＢ ＡＰ（立位））に対応するＫＵＢ正面ボタンの関連付け情報は削除される。
【００７５】
実施形態１で述べた例では、検査開始ボタンが押下されたときに不定のプロトコルＩＤと撮影部位の関連付けを行った。しかし、図４の撮影オーダー表示領域３２のボタンを押下したときに関連付けを行ってもよい。
【００７６】
図１１は、撮影オーダー表示領域３２のボタンを押下したときに不定のプロトコルＩＤと撮影部位の関連付けをおこなう動作フローチャートの例を示す。
【００７７】
ステップＳ２００において、操作者が撮影オーダー表示領域３２のボタンを押下する。
【００７８】
ステップＳ２０１において、プロトコルコードから撮影部位コードへの変換部８６は、選択したボタンに撮影部位コードが割り当てられているか否かを確認する。もし割り当てられている場合は、ステップＳ２０５に移行する。
【００７９】
ステップＳ２０２において、もし割り当てられていない場合は、撮影オーダー作成部８８は撮影部位を選択してくださいというメッセージを表示する。
【００８０】
ステップＳ２０３において、撮影オーダー作成部８８は撮影部位メニューを表示させる。
【００８１】
ステップＳ２０４において、操作者は撮影部位ボタンを押下してプロトコルＩＤと撮影部位コードの対応を取る。これにより不定のプロトコルＩＤと撮影部位の対応が完了して、Ｓ２０５でシステムをＲｅａｄｙ状態に遷移させる。
【００８２】
ここで、ログインユーザに一般ユーザと管理者ユーザがいた場合、一般ユーザに対して撮影終了時の撮影部位変換テーブル８７への書き込みを禁止し、管理者ユーザに対して、書き込みを許可してもよい。つまり、撮影を行うユーザ権限により、一般ユーザでは、新たに対応付けられた撮影部位と撮影条件のＩＤへの対応情報を一時記憶しその後は破棄する。そして、管理者ユーザの場合は、電源オフ時にも対応情報を記憶し、その後撮影部位変換テーブル８７へ反映することにより、システムの保全性が高めるられる。
【００８３】
以上のように、不定のプロトコルＩＤを受信した場合でも、撮影の通常のフローを中断することなく、所望の撮影部位のパラメータで撮影が可能である。また、その関連付けを既存の撮影部位だけでなく新規撮影部位として保存することもできる。
【００８４】
上述の方法では、撮影オーダー表示領域３２に、不定のプロトコルＩＤをボタン上が表示されるので、操作者がプロトコルＩＤリストを見ることで対応する撮影部位が容易に分かるという効果がある。
【００８５】
図１２および図１３は、図２の患者を選択する画面、そして図３の撮影部位を選択する画面に、不定のプロトコルＩＤのほかにプロトコル名など関連情報を表示する例を示すものである。これにより、操作者は、より容易に所望の撮影部位が撮影部位メニューから探し出せるようになる。
【００８６】
また、図６のようにプロトコルＩＤが、検査部位、姿勢、照射方向等意味を持つコードで構成されている場合、プロトコル名など関連情報が送信されなくとも、プロトコルＩＤのコードを解析して定義ファイルを参照することで、その内容を表示できる。ここで、検査部位コード、姿勢コード、照射方向コードの定義ファイルは、ＲＩＳ端末よりメディアに書き込んで、そのメディアをＸ線撮影システムの制御部１００６が読み込んでもよい。またネットワークによりオンラインで検査部位コード、姿勢コード、照射方向コードの定義ファイルを入力してもよい。
【００８７】
このように、定義ファイルが得られると、部位の分類がわかるので、図３の撮影部位メニュー２３のタブを図６に示すような所定の部位に切り替えてもよい。例えば、ＫＵＢ−ＰＡ（立位）のプロトコルＩＤは１３０２００１１０なので、図６を参照して、１３０２：腹部、００：立位、１１０：ＰＡということが分かるので、「腹部  立位  ＰＡ」という表示が可能である。
＜実施形態２＞
撮影時以外に、操作者が不定のプロトコルＩＤと撮影部位の関連付けを可能させる方法を示す。実施形態２の説明に用いる図は、図１４、図１５および図１６である。
【００８８】
図１４は、ＨＩＳ／ＲＩＳ１２０が作成したテスト用のデータを示す図である。
【００８９】
図１５は、実施形態２における操作者が患者を選択するための画面である。
【００９０】
図１６は、実施形態２における操作者が撮影部位を選択するための画面である。
【００９１】
実施形態１と同様に、撮影オーダー受信部８５は、ネットワーク１１０を介して図１４に示すテスト用データを受信し、図１５に示すような撮影オーダーリスト２０に表示する。操作者が撮影オーダーリスト２０のテストデータを選択すると、撮影オーダー作成部８８は、撮影オーダー表示領域３２に撮影部位ボタンを順に表示する。もし対応する撮影部位がない場合は、実施形態１と同様にプロトコルＩＤを表示する。
【００９２】
ここで、操作者がプロトコルＩＤのボタンを押下すると、図１６に示すように、撮影オーダー作成部８８は、対応付けのための撮影部位メニュー２３を表示する。操作者が撮影部位メニュー２３から撮影部位を選択すると、撮影オーダー作成部８８は、「新規撮影部位として関連付ける」か、「既存の撮影部位に関連付ける」か、を確認するダイアログを表示する。
【００９３】
「新規撮影部位として関連付ける」を選択した場合は、撮影部位名称と撮影メニュー内でのボタンの場所を指定したのち、その選択が確定される。
【００９４】
「既存の撮影部位に関連付ける」を選択した場合は、既存の撮影部位とプロトコルＩＤの関連付けがなされる。操作者がＯＫボタン４１を押下することで、撮影部位変換テーブル８７は関連付け情報を保存する。なお図１５および図１６は、メンテナンス用のシステムメニューボタン（図示せず）を押下することで呼び出される。
【００９５】
以上の実施形態２の構成をとることで、撮影時でなくとも、撮影オーダー表示領域３２に不定のプロトコルＩＤを示すボタンを表示させることで、容易にかつ正確に所望の撮影部位と関連付けられるという効果がある。
【００９６】
＜他の実施形態＞
本発明は、前述した実施形態の機能を実現するプログラムを、システム或いは装置に直接或いは遠隔から供給し、そのシステム或いは装置が、供給されたコンピュータプログラムのコードを読み出して実行することによっても達成される。従って、本発明の機能処理をコンピュータで実現するために、コンピュータにインストールされるコンピュータプログラムのコード自体も本発明の技術的範囲に含まれる。
【００９７】
その場合、プログラムの機能を有していれば、オブジェクトコード、インタプリタにより実行されるプログラム、ＯＳに供給するスクリプトデータ等、プログラムの形態を問わない。
【００９８】
プログラムを供給するためのコンピュータ可読記録媒体としては、例えば、フロッピー（登録商標）ディスク、ハードディスク、光ディスク（ＣＤ、ＤＶＤ）、光磁気ディスク、磁気テープ、不揮発性のメモリカード、ＲＯＭなどがある。
【００９９】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【０１００】
さらに、コンピュータ記録媒体から読み出されたプログラムが、コンピュータに挿入された機能拡張ボードやコンピュータに接続された機能拡張ユニットに備わるメモリに格納される。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１０１】
【図１】実施形態１におけるＸ線撮影システムを示すブロック図である。
【図２】実施形態１における操作表示部に表示するＧＵＩ（患者の選択）を示す図である。
【図３】実施形態１における操作表示部に表示するＧＵＩ（撮影部位の選択）を示す図である。
【図４】実施形態１における操作表示部に表示するＧＵＩ（画面の確認）を示す図である。
【図５】プロトコルＩＤとプロトコル名および撮影条件の対応テーブルを示す図である。
【図６】プロトコルＩＤの内容を示す例を示す図である。
【図７】撮影部位、撮影部位名とプロトコルとの対応テーブルを示す図である。
【図８】撮影部位の内容、撮影部位名と撮影条件などの対応テーブルを示す図である。
【図９】実施形態１における撮影オーダーの例を示す図である。
【図１０】実施形態１における未定プロトコルを設定するフローチャート（１）である。
【図１１】実施形態１における未定プロトコルを設定するフローチャート（２）である。
【図１２】追加撮影情報の表示に関する操作表示部に表示するＧＵＩ（患者の選択）を示す図である。
【図１３】追加撮影情報の表示に関する操作表示部に表示するＧＵＩ（撮影部位の選択）を示す図である。
【図１４】実施形態２におけるＸ線撮影時以外で未定のプロトコルＩＤと撮影部位を関連付けるオーダーを示す図である。
【図１５】実施形態２における操作表示部に表示するＧＵＩ（患者の選択）を示す図である。
【図１６】実施形態２における操作表示部に表示するＧＵＩ（撮影部位の選択）を示す図である。
【図１】
2010136896.tif 000003
【図２】
2010136896.tif 000004
【図３】
2010136896.tif 000005
【図４】
2010136896.tif 000006
【図５】
2010136896.tif 000007
【図６】
2010136896.tif 000008
【図７】
2010136896.tif 000009
【図８】
2010136896.tif 000010
【図９】
2010136896.tif 000011
【図１０】
2010136896.tif 000012
【図１１】
2010136896.tif 000013
【図１２】
2010136896.tif 000014
【図１３】
2010136896.tif 000015
【図１４】
2010136896.tif 000016
【図１５】
2010136896.tif 000017
【図１６】
2010136896.tif 000018